(57)【特許請求の範囲】
【請求項１】
複数の鋸引き装置に対して使用する鋸刃であって、自由端（２）を有する薄板状の切断部分（１０）と、前記切断部分（１０）から前記自由端の反対側へ向けて該切断部分（１０）の長手方向へ延びる結合端（３）とを含み、前記切断部分（１０）の一方の側縁部に切断刃（１）を構成する鋸刃すなわちギザギザの輪郭が形成されるとともに、該切断部分（１０）の他方の側縁部が直線状（４６）になっている鋸刃において、前記結合端（３）が、先端が前記切断部分（１０）の長手方向軸線に整合する位置にある「Ｖ」字形端縁部（４）と、前記結合端（３）の一方及び他方の側縁部のそれぞれに合体された小さい横方向の薄いタブ（６）と、中心が前記長手方向軸線に整合する位置にある円形の貫通孔（５）とを含み、前記円形の貫通孔（５）の中心が前記「Ｖ」字形軸方向端縁部（４）と前記小さい薄いタブ（６）の間に配置された側縁部（４７）から等距離に配置されており、くぼみ（７）が、前記切断部分（１０）の前記一方及び他方の側縁部のそれぞれの、前記タブ（６）のそれぞれに隣接する位置に配置されていることを特徴とする鋸刃。
【請求項２】
前記タブ（６）のそれぞれが長方形であることを特徴とする請求項１に記載の鋸刃。
【請求項３】
前記切断部分（１０）の前記他方の側縁部の前記くぼみ（７）が長方形の輪郭を有し、前記切断部分（１０）の前記一方の側縁部の前記くぼみ（７）が台形の輪郭を有していることを特徴とする請求項１または２に記載の鋸刃。
【請求項４】
前記切断部分（１０）の自由端（２）が隅に丸みをつけて面取りされた形状にされていることを特徴とする請求項１から３までのいずれか１項に記載の鋸刃。
【発明の詳細な説明】
【技術分野】
【０００１】
本願は、鋸（ｓａｗ）の構造上の配備（ｃｏｎｓｔｒｕｃｔｉｖｅ  ａｒｒａｎｇｅｍｅｎｔ）を指向し、特に細帯鋸タイプの鋸（ｊｉｇ  ｔｙｐｅ  ｓａｗ）の構造上の配備であって、その新規な構造上の配備が鋸を起動すなわち作動させるためのそれぞれの機械に鋸を装着させる端部を精密に備えている鋸の構造上の配備を指向するものである。
【背景技術】
【０００２】
当該技術分野の専門家には知られているように、磨耗あるいは破損した後交換可能な部品であることを特徴とする「細帯鋸（ジグソー：ｊｉｇ−ｓａｗ）」として知られる薄板状鋸を含む多数の種々タイプや商標の鋸引き装置が市場に存在している。
【０００３】
既存の鋸引き装置の各モデルあるいは商標は異なる特定の取り付け（アタッチメント）方式を提供しており、そのため使用者に対して当該装置との結合、すなわち取り付け方式と一致する取り付け端部を具備した鋸を入手するよう強いている。
【０００４】
このような状況は先ず、鋸引き装置に対して交換可能な鋸刃を指定するとか、あるいは関連させることによって機械の製造業者に好意的なある種の保護主義を提供しているが、それは後刻多大の不便さをもたらす。何故なら、そのことはまた、広範囲に亘って機械が切断工具によって左右されるようになるからである。
【０００５】
このような不便さの一つは補充部品市場において切断工具が不足した場合、鋸引き装置は遊休状態となり、使用者に問題を発生させるような状況となるという事実である。
【０００６】
別の不便さは鋸刃を購入する場合、使用者は適合する鋸刃を購入するためには自身が所有している機械の正確なタイプおよび型式を記憶しておく必要があるが、それは常時できることではないという事実である。
【０００７】
機械と、それぞれの鋸刃とのモデルにこのように多様性があるという別の不便さは、販売担当者が鋸刃の各モデルやタイプに対する予備品供給分を在庫させておく必要があり、そのため在庫回転が予測することができない商品に対して、商品の更なる格納スペースや費用および投資を必要とするという事実である。
【０００８】
前記の鋸刃の多様性による別の不便さは、製造業者は、既存の鋸引き装置の数え切れないほどのタイプやモデルに適合しうる各タイプおよび（または）モデルの鋸刃を製造するための規則的な供給体制、製造ラインおよび機械を保有しておく必要があるという事実である。
【発明の開示】
【発明が解決しようとする課題】
【０００９】
従って、本発明の目的の一つは、補充部品市場における切削工具の不足の可能性を排除し、その結果鋸引き装置の終局的な遊休状態を阻止するようにする鋸の構造上の配備を提供することである。
【００１０】
本発明の別の目的は、使用者が適合するタイプの鋸を購入することができるように、使用者自身所有している機械のタイプやモデルを正確に知っておく必要がないようにする鋸の構造上の配備を提供することである。
【００１１】
本発明の別の目的は、販売担当者が自分の店舗に全てのモデルやタイプの鋸に対する交換予備品供給分を保管しておく必要がないようにする鋸の構造上の配備を提供することである。
【００１２】
本発明の別の目的は、製造業者が、製造御者自身が販売する数多いタイプやモデルの鋸引き装置に適合しうる全てのタイプおよび（または）モデルの鋸刃の規則的な在庫、それらを製造するための製造ラインや機械を保有しておく必要性がないようにする鋸の構造上の配備を提供することである。
【課題を解決するための手段】
【００１３】
本発明のこれら、およびその他の目的や利点は、互換性のある標準長さの薄板状部分を含む鋸の構造的な配置であって、薄板状鋸の適正な切断弦を構成する鋸歯すなわちギザギザ形状がその作用刃先に画成されており、前記薄板状部分の前部自由端は隅に丸みをつけて面取りした形状を有しており、一方本発明によると前記薄板状部分の後方の結合端には鋸刃の本体に沿って「Ｖ」字形の輪郭が軸線方向に配置されており、それに続いて前記鋸刃の長手方向軸線に対して、中心が一直線になっている円形貫通孔が設けられ、前記円形の貫通孔は前記「Ｖ」字形の軸線方向縁部と、前記薄板部分のそれぞれの側縁部に設けられた台形のくぼみの直ぐ前方の領域において前記薄板状部分の側縁部に合体された小さい長方形の横方向の薄いタブとに対して等間隔に配置されており、そのため後方の汎用性端部（ｂａｃｋ  ｕｎｉｖｅｒｓａｌ  ｅｎｄ）が鋸刃自体の本体の残りの部分と結合するのを阻止するようにする首部を構成している鋸の構造上の配備によって達成される。
【００１４】
添付図面を参照して本発明を以下説明する。
【発明を実施するための最良の形態】
【００１５】
図面によれば、本発明の目的である鋸における構造上の配備は、互換性のある標準長さを有する薄板状の部分１０であって、該薄板状鋸１０自体の刃先を構成する鋸歯状作用刃先（ｓｅｒｒａｔｅｄ  ｗｏｒｋｉｎｇ  ｅｄｇｅ）１を備えた薄板状部分１０を含んでいる。
【００１６】
図面から判るように、前記薄板状部分１０の前方自由端２は隅に丸みをつけて面取りすることが好ましい。
【００１７】
他方、本発明の目的である、前記薄板状部分１０の後方結合端３は刃１０の本体に沿って軸線方向に配置されている「Ｖ」字形の端縁部４を有している。図１および図２から判るように、より詳しくは前記後方結合端３においては、前記刃１０の長手方向軸線に対して、中心が一直線になっている円形貫通孔５が設けられている。前記の円形貫通孔５は、前記軸線方向の「Ｖ」字形縁部と、前記薄板状部分１０の後方端３の側縁部に合体されている小さい長方形横方向の薄いタブ６とに対して等間隔に配置されている。
【００１８】
前記薄板部分１０の結合端３の側縁部には、この対のタブ６の直ぐ後において上側が長方形の輪郭であり、下側が台形の輪郭であり（図１参照）、そのため後方の汎用端３が鋸刃１０自体の本体部の残りの部分１および２と結合することを阻止するようにする首部を構成しているくぼみ７が設けられている。
【００１９】
図１および図２に示す結合端３のこのような形態によって、図３，図４，図５，図６に詳細に示すようにいずれのタイプやモデルの鋸引き装置に対しても鋸刃１０を接続することができる。
【００２０】
図３および図３ａは、本発明による鋸刃１０が、Ｂｏｓｃｈ（登録商標）タイプの鋸引き装置の作動ピン１１に結合されると、その後方端３は作動ピンのスリーブ１２によって囲まれ、そのためその端縁部４が止めピン１３に対して支持されるように保持され、前記止めピン１３はばね１４によって汎用端３の横方向タブ６をスリーブの内面に対して弾圧し、それによって、鋸刃１０を当該機械の作動ピン１１に対してしっかりと保持していることを示す。このように、このモデルの機械に対しては、結合のために機械的に協働する要素は、鋸刃１０の後方端３にある端縁部４と横方向タブ６である。
【００２１】
図４と図４ａとは、本発明による鋸刃１０がＢｌａｃｋ  ＆  Ｄｅｃｋｅｒ（登録商標）タイプの装置の作動ピン２１に結合されると、その後方端３がスリーブ２２と、前記作動ピン２１を接続しかつ結合端３の前面および裏面を圧迫するロッキングボルト２３とによって加えられる放射状方向の機械的圧力（ｒａｄｉａｌ  ｍｅｃｈａｎｉｃａｌ  ｐｒｅｓｓｕｒｅ）によって保持される（図４、図４ａ、図４ｂを参照）ことを示す。このように、汎用端３の横方向タブ６前方の結合端３の側縁部は前記スリーブ２２と作動ピン２１とによって上方から圧迫された状態に留まり、一方、同時に前記結合端３の前面および裏面はロッキングボルト２３によって適宜、および代替的に圧迫される。このように、このモデルの機械に対しては、結合のために機械的に相互作用する要素は端縁部４と鋸刃１０の後方端３の横方向タブ６の前方の側縁部との間の汎用端３の周方向接触である。
【００２２】
図５および図５ａは、本発明による鋸刃１０がＤｅ  Ｗａｌｔ（登録商標）タイプの装置の作動ピン３１に結合されると、その後方端３がスリーブ３３の端の内側に設けられた円錐形の二股のジョー（ｂｉｆｉｄ  ｊａｗ）３２に対する放射状方向の機械的な圧力によって保持されることを示している。このように、ジョー３２によって軸線方向および放射状方向に圧迫されると、作動ピン３１はその端部において汎用端３の横方向タブ６の前方にある結合端３の前面、裏面、および側縁部を保持する。このように、このモデルの機械に対しては、結合のために機械的に相互作用する要素もまた、端縁部４と鋸刃１０の後方端３の横方向タブ６の前方における側縁部との間の汎用端３の部分における周方向接触である。
【００２３】
最後に、図６、図６ａ，および図６ｂは、本発明による鋸刃１０がＢ＆Ｄ  ３１５７あるいはＤＷ３１３タイプの装置の作動ピン４１に結合されると、その後方端３がロッキングボルト４３によって作動ピン４１に取り付けられているスリーブ４２によって囲まれることを示している。鋸刃１０の結合端３はスリーブ４２のねじを横切る第二のロッキングボルト４４によって作動ピン４１に保持されており、前記ロッキングボルト４４の自由端は鋸刃１０の結合端３の貫通孔５に嵌合する円筒形部分４５を軸線方向に合体しており、該鋸刃１０は作動ピン４１の端にそれを取り付けている。このように、このモデルの機械に対しては、結合のために機械的に相互作用する要素は汎用端３の部分と鋸刃１０の貫通孔５との周方向接触である。
【００２４】
好適な構造形態を説明し、図示してきたが、本発明の範囲から逸脱することなく変更を行い、かつ適用できることは指摘されるべきである。  
【図面の簡単な説明】
【００２５】
【図１】本発明による鋸の構造上配備の平面図を示す。
【図２】図１に示す構造上の配備による鋸の結合端の詳細斜視図を示す。
【図３】本発明による鋸を結合したＢｏｓｃｈ（登録商標）タイプの鋸引き装置の作動ピンの部分的に断面で示す正面図を示す。
【図３ａ】本発明による鋸を結合したＢｏｓｃｈ（登録商標）タイプの鋸引き装置の起動ピンの結合スリーブの拡大した詳細図を示す。
【図４】本発明による鋸を結合したＢｌａｃｋ  ＆  Ｄｅｃｋｅｒ（登録商標）タイプの鋸引き装置の作動ピンの正面図を示す。
【図４ａ】本発明による鋸を結合したＢｌａｃｋ  ＆  Ｄｅｃｋｅｒ（登録商標）タイプの鋸引き装置の作動ピンの結合点を部分的に断面で示す、前図に対して９０度回転して見た別の正面図を示す。
【図４ｂ】本発明による鋸を結合したＢｏｓｃｈ（登録商標）タイプの鋸引き装置の作動ピンの結合スリーブを拡大した詳細図を示す。
【図５】本発明による鋸を結合したＤｅ  Ｗａｌｔ（登録商標）タイプの鋸引き装置の作動ピンの部分的に断面で示す正面図を示す。
【図５ａ】本発明による鋸を結合したＤｅ  Ｗａｌｔ（登録商標）タイプの鋸引き装置の作動ピンの結合スリーブを拡大した詳細図を示す。
【図６】本発明による鋸を結合したＢ＆Ｄ  ３１５７あるいはＤＷ  ３１３タイプの鋸引き装置の作動ピンの正面図を示す。
【図６ａ】前図の矢印「Ａ」から見た鋸引き装置の作動ピンの結合スリーブを拡大して断面で示す上面図を示す。
【図６ｂ】図６の矢印「Ａ１」から見た鋸引き装置の作動ピンの結合スリーブを部分的に断面で示す詳細正面図を示す。
【図１】
0004836777.tif 000002
【図２】
0004836777.tif 000003
【図３】
0004836777.tif 000004
【図３ａ】
0004836777.tif 000005
【図４】
0004836777.tif 000006
【図４ａ】
0004836777.tif 000007
【図４ｂ】
0004836777.tif 000008
【図５】
0004836777.tif 000009
【図５ａ】
0004836777.tif 000010
【図６】
0004836777.tif 000011
【図６ａ】
0004836777.tif 000012
【図６ｂ】
0004836777.tif 000013